(57)【要約】【課題】第１の波形における任意の座標点・座標範囲に対応する第２の波形の座標点・座標範囲を確実かつ容易に特定可能とする。【解決手段】Ｔ−Ｙ波形ＷａおよびＸ−Ｙ波形Ｗｂを表示部４の波形表示画面１０に表示可能に構成された波形表示装置であって、Ｘ−Ｙ波形表示領域１２上のＸ−Ｙ波形Ｗｂにおける任意の座標点および任意の座標範囲がカーソル表示１５ｂによって指定されたときに、任意の座標点および任意の座標範囲に対応するＴ−Ｙ波形表示領域１１上の座標点および座標範囲を特定可能なカーソル表示１５ａをＴ−Ｙ波形Ｗａと共にＴ−Ｙ波形表示領域１１上に表示させる。【選択図】図４
2014013165.tif 000002
【特許請求の範囲】
【請求項１】
測定対象の第１の物理量を第１の座標軸に対応させ、かつ当該測定対象の第２の物理量を当該第１の座標軸と交差する第２の座標軸に対応させた第１の仮想平面上に当該両物理量によって特定される座標点を当該両物理量の経時変化に対応させてプロットすることで得られる第１の波形と、前記第１の物理量および前記第２の物理量のうちの予め規定された一方を第３の座標軸に対応させ、かつ当該第３の座標軸と交差する第４の座標軸を時間軸とする第２の仮想平面上に当該一方の物理量を経時変化に対応させてプロットすることで得られる第２の波形とを表示部に表示させる処理部を備えた波形表示装置であって、
前記処理部は、前記第１の仮想平面上の前記第１の波形における任意の座標点および任意の座標範囲のうちの少なくとも一方が指定されたときに、当該少なくとも一方に対応する前記第２の仮想平面上の座標点および座標範囲のうちの少なくとも一方を特定可能な対応座標表示を前記第２の波形と共に当該第２の仮想平面上に表示させる波形表示装置。
【請求項２】
前記処理部は、前記第１の仮想平面上の前記任意の座標点および前記任意の座標範囲のうちの少なくとも一方を指定するためのカーソル表示を前記第１の波形と共に当該第１の仮想平面上に表示させると共に、予め規定された座標指定操作が行われたときに、当該カーソル表示によって指定されている前記少なくとも一方に対応する前記第２の仮想平面上の前記座標点および前記座標範囲のうちの少なくとも一方を特定可能に前記対応座標表示を当該第２の仮想平面上に表示させる請求項１記載の波形表示装置。
【請求項３】
前記任意の座標点を指定するためのポインティングデバイスを備えて構成されている請求項１または２記載の波形表示装置。
【請求項４】
前記処理部は、前記第１の波形を表示する第１の波形表示領域、および前記第２の波形を表示する第２の波形表示領域を前記表示部の同一表示画面内にそれぞれ規定して当該第１の波形および当該第２の波形を当該表示部内に並べて表示させる請求項１から３のいずれかに記載の波形表示装置。
【請求項５】
測定対象の第１の物理量を第１の座標軸に対応させ、かつ当該測定対象の第２の物理量を当該第１の座標軸と交差する第２の座標軸に対応させた第１の仮想平面上に当該両物理量によって特定される座標点を当該両物理量の経時変化に対応させてプロットすることで得られる第１の波形と、前記第１の物理量および前記第２の物理量のうちの予め規定された一方を第３の座標軸に対応させ、かつ当該第３の座標軸と交差する第４の座標軸を時間軸とする第２の仮想平面上に当該一方の物理量を経時変化に対応させてプロットすることで得られる第２の波形とを表示部に表示させる波形表示方法であって、
前記第１の仮想平面上の前記第１の波形における任意の座標点および任意の座標範囲のうちの少なくとも一方が指定されたときに、当該少なくとも一方に対応する前記第２の仮想平面上の座標点および座標範囲のうちの少なくとも一方を特定可能な対応座標表示を前記第２の波形と共に当該第２の仮想平面上に表示させる波形表示方法。
【発明の詳細な説明】
【技術分野】
【０００１】
本発明は、波形表示画面に信号波形を表示させる波形表示装置および波形表示方法に関するものである。
【背景技術】
【０００２】
この種の波形表示装置および波形表示方法として、デジタルオシロスコープ（以下、単に「オシロスコープ」ともいう）、およびその波形表示方法が特開２０１０−２６６３２９号公報に開示されている。このオシロスコープでは、表示データ生成部が、ＣＰＵの制御下でＶＴ波形表示データおよびＸＹ波形表示データを生成して表示処理部に転送し、表示処理部が、ＶＴ波形表示データに基づくＶＴ波形、およびＸＹ波形表示データに基づくＸＹ波形をＤＩＳＰＬＡＹに表示させる構成が採用されている。この場合、このオシロスコープでは、ＶＴ波形表示サーチポイント（時間軸と直交する棒状のカーソル）をＶＴ波形に重ねて表示させると共に、このＶＴ波形表示サーチポイントに連動して、ＸＹ波形表示サーチポイント（十字カーソル）をＸＹ波形に重ねて表示させる構成が採用されている。これにより、このオシロスコープでは、ＶＴ波形表示サーチポイントをＶＴ波形上の任意のポイントに位置させるように移動させることで、その任意のポイントに対応するＸＹ波形上のポイントがいずれに位置しているかを特定することが可能となっている。
【先行技術文献】
【特許文献】
【０００３】
【特許文献１】特開２０１０−２６６３２９号公報（第４−５頁、第１−３図）
【発明の概要】
【発明が解決しようとする課題】
【０００４】
ところが、従来のオシロスコープ、およびその波形表示方法には、以下の問題点が存在する。すなわち、従来のオシロスコープでは、ＶＴ波形上の任意のポイントを指定するＶＴ波形表示サーチポイントに連動してＸＹ波形表示サーチポイントが表示される構成が採用されている。したがって、従来のオシロスコープでは、例えば、ＶＴ波形に特異点が認められたときに、ＶＴ波形表示サーチポイントを特異点の位置に移動させることで、ＸＹ波形においてその特異点に対応する位置にＸＹ波形表示サーチポイントが表示される。これにより、従来のオシロスコープでは、ＸＹ波形においてＶＴ波形の特異点に対応する部位がどのような波形となっているかを容易に観測することが可能となっている。しかしながら、従来のオシロスコープでは、ＸＹ波形に特異点が認められたときに、ＶＴ波形においてＸＹ波形の特異点に対応する部位がどの部位であるかを特定するのが困難となっている。
【０００５】
具体的には、ＶＴ波形表示サーチポイントに連動してＸＹ波形表示サーチポイントが表示される従来のオシロスコープでは、ＸＹ波形に特異点が認められたときに、ＸＹ波形表示サーチポイントを見ながらＶＴ波形表示サーチポイントを任意の方向に移動させることでＸＹ波形表示サーチポイントがＸＹ波形における特異点の部位に位置するように移動させ、特異点の部位にＸＹ波形表示サーチポイントが位置したときのＶＴ波形表示サーチポイントの位置に基づき、ＶＴ波形においてＸＹ波形の特異点に対応する部位を特定する作業を実施することとなる。この場合、この種の装置の操作に不慣れなオペレータにとっては、ＶＴ波形表示サーチポイントを移動させることでＸＹ波形表示サーチポイントを任意のポイントに位置させようとしたときに、ＶＴ波形表示サーチポイントをいずれの方向に移動させればよいかの特定が困難となっている。
【０００６】
また、ＶＴ波形においてＸＹ波形の特異点に対応する部位に向けてＶＴ波形表示サーチポイントを移動させることができたとしても、ＸＹ波形表示サーチポイントが特異点に位置した瞬間を見過ごして、ＶＴ波形表示サーチポイントをさらに移動させてしまい、結果として、ＸＹ波形表示サーチポイントを特異点の部位に位置させることができなくなることもある。このように、従来のオシロスコープでは、ＸＹ波形表示サーチポイントを任意のポイントに位置させる作業が煩雑となっており、ＶＴ波形においてＸＹ波形の特異点に対応する部位を特定すること自体が非常に困難となっている。したがって、従来のオシロスコープでは、ＶＴ波形（第２の波形）においてＸＹ波形（第１の波形）における任意の部位に対応する部位がどのような波形となっているかを観測するのが困難となっているという問題点がある。
【０００７】
本発明は、かかる問題点に鑑みてなされたものであり、第１の波形における任意の座標点・座標範囲に対応する第２の波形の座標点・座標範囲を確実かつ容易に特定し得る波形表示装置および波形表示方法を提供することを主目的とする。
【課題を解決するための手段】
【０００８】
上記目的を達成すべく請求項１記載の波形表示装置は、測定対象の第１の物理量を第１の座標軸に対応させ、かつ当該測定対象の第２の物理量を当該第１の座標軸と交差する第２の座標軸に対応させた第１の仮想平面上に当該両物理量によって特定される座標点を当該両物理量の経時変化に対応させてプロットすることで得られる第１の波形と、前記第１の物理量および前記第２の物理量のうちの予め規定された一方を第３の座標軸に対応させ、かつ当該第３の座標軸と交差する第４の座標軸を時間軸とする第２の仮想平面上に当該一方の物理量を経時変化に対応させてプロットすることで得られる第２の波形とを表示部に表示させる処理部を備えた波形表示装置であって、前記処理部は、前記第１の仮想平面上の前記第１の波形における任意の座標点および任意の座標範囲のうちの少なくとも一方が指定されたときに、当該少なくとも一方に対応する前記第２の仮想平面上の座標点および座標範囲のうちの少なくとも一方を特定可能な対応座標表示を前記第２の波形と共に当該第２の仮想平面上に表示させる。
【０００９】
また、請求項２記載の波形表示装置は、請求項１記載の波形表示装置において、前記処理部は、前記第１の仮想平面上の前記任意の座標点および前記任意の座標範囲のうちの少なくとも一方を指定するためのカーソル表示を前記第１の波形と共に当該第１の仮想平面上に表示させると共に、予め規定された座標指定操作が行われたときに、当該カーソル表示によって指定されている前記少なくとも一方に対応する前記第２の仮想平面上の前記座標点および前記座標範囲のうちの少なくとも一方を特定可能に前記対応座標表示を当該第２の仮想平面上に表示させる。
【００１０】
さらに、請求項３記載の波形表示装置は、請求項１または２記載の波形表示装置において、前記任意の座標点を指定するためのポインティングデバイスを備えて構成されている。
【００１１】
また、請求項４記載の波形表示装置は、請求項１から３のいずれかに記載の波形表示装置において、前記処理部は、前記第１の波形を表示する第１の波形表示領域、および前記第２の波形を表示する第２の波形表示領域を前記表示部の同一表示画面内にそれぞれ規定して当該第１の波形および当該第２の波形を当該表示部内に並べて表示させる。
【００１２】
また、請求項５記載の波形表示方法は、測定対象の第１の物理量を第１の座標軸に対応させ、かつ当該測定対象の第２の物理量を当該第１の座標軸と交差する第２の座標軸に対応させた第１の仮想平面上に当該両物理量によって特定される座標点を当該両物理量の経時変化に対応させてプロットすることで得られる第１の波形と、前記第１の物理量および前記第２の物理量のうちの予め規定された一方を第３の座標軸に対応させ、かつ当該第３の座標軸と交差する第４の座標軸を時間軸とする第２の仮想平面上に当該一方の物理量を経時変化に対応させてプロットすることで得られる第２の波形とを表示部に表示させる波形表示方法であって、前記第１の仮想平面上の前記第１の波形における任意の座標点および任意の座標範囲のうちの少なくとも一方が指定されたときに、当該少なくとも一方に対応する前記第２の仮想平面上の座標点および座標範囲のうちの少なくとも一方を特定可能な対応座標表示を前記第２の波形と共に当該第２の仮想平面上に表示させる。
【発明の効果】
【００１３】
請求項１記載の波形表示装置、および請求項６記載の波形表示方法によれば、第１の仮想平面上の第１の波形における任意の座標点および任意の座標範囲のうちの少なくとも一方が指定されたときに、その少なくとも一方に対応する第２の仮想平面上の座標点および座標範囲のうちの少なくとも一方を特定可能な対応座標表示を第２の波形と共に第２の仮想平面上に表示させることにより、第１の波形において着目すべき座標点・座標範囲を指定するだけで、第１の波形において指定された座標点・座標範囲に対応する第２の波形の座標点・座標範囲を特定可能な位置に対応座標表示が表示されるため、第１の波形において着目すべき座標点・座標範囲に対応する第２の波形の座標点・座標範囲を確実かつ容易に特定することができる。これにより、この種の装置の操作に不慣れなオペレータであっても、第２の波形において第１の波形における任意の部位に対応する部位がどのような波形となっているかを容易に観測することができる。
【００１４】
また、請求項２記載の波形表示装置によれば、任意の座標点および任意の座標範囲のうちの少なくとも一方を指定するカーソル表示を第１の波形と共に第１の仮想平面上に表示させた状態において予め規定された座標指定操作が行われたときに、カーソル表示によって指定されている上記の少なくとも一方に対応する第２の仮想平面上の座標点および座標範囲のうちの少なくとも一方を特定可能に対応座標表示を第２の仮想平面上に表示させることにより、例えば、座標指定操作が行われなくてもカーソル表示の位置に応じて対応座標表示が第２の仮想平面上に表示される構成とは異なり、座標指定操作が行われるまで第２の仮想平面上に対応座標表示が表示されないため、例えば、カーソル表示を所望の位置に移動させる操作中に、カーソル表示と第１の波形を構成する線分とが交差する状態と交差しない状態とが交互に生じたり、カーソル表示を所望の位置に移動させる操作中に、カーソル表示内に第１の波形を構成する線分が含まれる状態と、カーソル表示内に第１の波形を構成する線分が含まれない状態とが交互に生じたりしたとしても、対応座標表示が表示される状態、および表示されない状態に交互に切り替わる目障りな表示状態となるのを回避することができる。
【００１５】
さらに、請求項３記載の波形表示装置によれば、任意の座標点および任意の座標範囲のうちの少なくとも一方をポインティングデバイスによって指定可能に構成したことにより、この種の装置の操作に不慣れなオペレータであっても、任意の座標点・座標範囲を容易に指定することができる。
【００１６】
さらに、請求項４記載の波形表示装置によれば、第１の波形を表示する第１の波形表示領域、および第２の波形を表示する第２の波形表示領域を表示部の同一表示画面内にそれぞれ規定して第１の波形および第２の波形を並べて表示させることにより、表示画面の切り替えを行うことなく、第１の波形において指定した座標点・座標範囲と、その座標点・座標範囲に対応する第２の波形の座標点・座標範囲とを容易に比較することができる。
【図面の簡単な説明】
【００１７】
【図１】波形表示装置１の構成を示すブロック図である。
【図２】波形表示画面１０の一例を示す表示画面図である。
【図３】Ｘ−Ｙ波形表示領域１２内にカーソル表示１５ｂを表示させた状態の表示画面図である。
【図４】図３に示す状態において確定操作を行うことでＴ−Ｙ波形表示領域１１内にカーソル表示１５ａを表示させた状態の表示画面図である。
【図５】カーソル表示１５ｂを図３に示す位置から移動させた状態の表示画面図である。
【図６】図５に示す状態において確定操作を行うことでＴ−Ｙ波形表示領域１１内にカーソル表示１５ａを表示させた状態の表示画面図である。
【図７】カーソル表示１５ｂを図３，５に示す位置とは相違する位置に移動させた状態の表示画面図である。
【図８】エラーメッセージ１８を表示させた状態の表示画面図である。
【発明を実施するための形態】
【００１８】
以下、波形表示装置および波形表示方法の実施の形態について、添付図面を参照して説明する。
【００１９】
図１に示す波形表示装置１は、測定部２、操作部３、表示部４、制御部５および記憶部６を備え、後述する波形表示方法に従ってＴ−Ｙ波形ＷａおよびＸ−Ｙ波形Ｗｂ等（図２参照）を表示部４に表示可能に構成されている。測定部２は、制御部５の制御に従い、一例として、入力信号Ｓの電圧値（「第１の物理量」の一例）を予め規定されたサンプリング周期でサンプリングして（測定して）測定データＤｖを生成すると共に、入力信号Ｓの電流値（「第２の物理量」の一例）を予め規定されたサンプリング周期でサンプリングして（測定して）測定データＤｉを生成し、生成した測定データＤｖ，Ｄｉを制御部５に出力する。
【００２０】
操作部３は、波形表示装置１の動作条件を設定するための各種操作スイッチ、および表示部４の前面に配設されて表示部４に表示される表示画面上の任意の座標点や任意の座標範囲を指定するためのタッチパネル（「ポインティングデバイス」の一例）を備え、操作スイッチのスイッチ操作や、タッチパネルに対する各種のタッチ操作に応じた操作信号を制御部５に出力する。この場合、タッチパネルとしては、静電容量型タッチパネルおよび感圧型タッチパネル等の各種のタッチパネルを採用することができる。また、タッチパネルに代えて（または、タッチパネルに加えて）マウス、トラックボールおよびジョイスティック等の各種ポインティングデバイスを備えて構成することもできる。
【００２１】
表示部４は、一例としてカラー液晶表示器を備えて構成されて、制御部５から出力される表示用データに基づき、波形表示装置１の動作条件を設定するための動作条件設定画面（図示せず）や、Ｔ−Ｙ波形ＷａおよびＸ−Ｙ波形Ｗｂ等を表示する波形表示画面１０（図２参照）などを表示する。この波形表示画面１０は、図２に示すように、Ｔ−Ｙ波形Ｗａを表示するためのＴ−Ｙ波形表示領域１１（「第２の波形表示領域」の一例）、およびＸ−Ｙ波形Ｗｂを表示するためのＸ−Ｙ波形表示領域１２（「第１の波形表示領域」の一例）が並んで規定されると共に、操作部３の上記のタッチパネルに対するタッチ操作によって操作する仮想操作ボタン（図２に示すＸ−Ｙ指定ボタン１４、図３に示す確定ボタン１６、および図４に示す再設定ボタン１７等）が表示される。なお、以下の説明では、操作部３のタッチパネルにおける各ボタン１４，１６，１７の描画部位をタッチするタッチ操作について、単に「ボタン１４，１６，１７の操作」ともいう。
【００２２】
この場合、Ｔ−Ｙ波形Ｗａは、「第２の波形」に相当し、一例として、「第１の物理量」に相当する入力信号Ｓの電圧値を「第３の座標軸」に相当するＹ座標軸に対応させ、かつこのＹ座標軸と交差するＸ座標軸（「第４の座標軸」の一例）を時間軸とするＴ−Ｙ波形表示領域１１内の仮想平面（「第２の仮想平面」の一例）上に入力信号Ｓの電圧値を経時変化に対応させてプロットすることで描画される。また、Ｘ−Ｙ波形Ｗｂは、「第１の波形」に相当し、一例として、「第１の物理量」に相当する入力信号Ｓの電圧値を「第１の座標軸」に相当するＹ座標軸に対応させ、かつ「第２の物理量」に相当する入力信号Ｓの電流値を「第２の座標軸」に相当するＸ座標軸に対応させたＸ−Ｙ波形表示領域１２内の仮想平面（「第１の仮想平面」の一例）上に、入力信号Ｓの電圧値および電流値によって特定される座標点を両値の経時変化に対応させてプロットすることで描画される。
【００２３】
制御部５は、「処理部」に相当し、波形表示装置１を総括的に制御する。具体的には、制御部５は、操作部３からの操作信号に応じて測定部２を制御して入力信号Ｓについての測定処理（入力信号Ｓの電圧値を規定されたサンプリング周期でサンプリングして測定データＤｖを生成する処理、および入力信号Ｓの電流値を規定されたサンプリング周期でサンプリングして測定データＤｉを生成する処理）を実行させる。また、制御部５は、測定部２から出力される測定データＤｖ，Ｄｉを記憶部６に記憶させると共に、その測定データＤｖ，Ｄｉに基づいて波形表示画面１０のＴ−Ｙ波形表示領域１１およびＸ−Ｙ波形表示領域１２にＴ−Ｙ波形ＷａおよびＸ−Ｙ波形Ｗｂを表示させる。さらに、制御部５は、図２に示すように、波形表示画面１０のＴ−Ｙ波形表示領域１１にカーソル表示１３ａ（一例として、ラインカーソル表示）を表示させ、かつＸ−Ｙ波形表示領域１２にカーソル表示１３ｂ（一例として、十字カーソル表示）を表示させた状態において、カーソル表示１３ａの移動操作に伴ってカーソル表示１３ｂを対応する座標に移動させる処理を実行する。
【００２４】
また、制御部５は、図３〜８に示すように、Ｘ−Ｙ波形表示領域１２内の任意の座標点を指定する２本の十字状のラインと、Ｘ−Ｙ波形表示領域１２内の任意の座標範囲を指定する矩形状の枠（本例では、正方形の枠）とを組み合わせたカーソル表示１５ｂ（「任意の座標点および任意の座標範囲の双方を指定するカーソル表示」の一例）をＸ−Ｙ波形表示領域１２に表示させた状態において、確定ボタン１６（図３，５，７参照）、または、操作部３のＥｎｔｅｒキーが操作されたときに、カーソル表示１５ｂの表示位置（カーソル表示１５ｂにおける２本のラインの交点によって指定されている座標点、およびカーソル表示１５ｂにおける矩形状の枠で囲われている座標範囲）に対応するＴ−Ｙ波形表示領域１１内の座標点および座標範囲を特定可能とするカーソル表示１５ａ（「座標点および座標範囲の双方を特定可能な対応座標表示」の一例）をＴ−Ｙ波形表示領域１１内に表示させる処理を実行する。記憶部６は、制御部５の動作プログラムや測定データＤｖ，Ｄｉなどを記憶する。
【００２５】
次に、波形表示装置１によるＴ−Ｙ波形ＷａおよびＸ−Ｙ波形Ｗｂの表示処理（波形表示方法）について、添付図面を参照して説明する。
【００２６】
この波形表示装置１では、一例として、操作部３の測定開始スイッチが操作されたときに、制御部５が、予め設定された測定条件に従い、測定部２を制御して測定処理を開始させる。この際に、測定部２は、入力信号Ｓの電圧値および電流値を予め設定されたサンプリング周期でサンプリングして測定データＤｖ，Ｄｉを生成すると共に、生成した測定データＤｖ，Ｄｉを制御部５に出力する。これに応じて、制御部５は、測定部２から出力された測定データＤｖ，Ｄｉを記憶部６に順次記憶させる。また、操作部３の測定終了スイッチが操作されたときに、制御部５は、測定部２を制御して測定処理を終了させる。これにより、測定部２によって生成された所定時間分の測定データＤｖ，Ｄｉが記憶部６に記憶される。なお、この波形表示装置１では、上記の測定処理と並行して測定データＤｖ，Ｄｉに基づく信号波形を表示部４に表示させることもできるが、波形表示方法についての理解を容易とするために、以下、記憶部６に記憶されている測定データＤｖ，Ｄｉに基づく信号波形を表示部４に表示させる際の処理について説明する。
【００２７】
具体的には、記憶部６に所定時間分の測定データＤｖ，Ｄｉが記憶されている状態において測定結果を表示させる操作が行われたときに、制御部５は、図２に示すように、波形表示画面１０を表示部４に表示させる。この際に、制御部５は、記憶部６から測定データＤｖ，Ｄｉを読み出すと共に、入力信号Ｓの電圧値をＹ座標軸に対応させ、かつこのＹ座標軸と交差するＸ座標軸を時間軸として、測定データＤｖに基づいて特定した入力信号Ｓの電圧値を経時変化に対応させてプロットすることでＴ−Ｙ波形表示領域１１内にＴ−Ｙ波形Ｗａを描画する。また、制御部５は、入力信号Ｓの電圧値をＹ座標軸に対応させ、かつ入力信号Ｓの電流値をＸ座標軸に対応させて、測定データＤｖ，Ｄｉに基づいて特定した電圧値および電流値によって特定される座標点を両値の経時変化に対応させてプロットすることでＸ−Ｙ波形表示領域１２内にＸ−Ｙ波形Ｗｂを描画する。
【００２８】
さらに、制御部５は、Ｔ−Ｙ波形表示領域１１内にカーソル表示１３ａを表示させると共に、カーソル表示１３ａによって指定されるＴ−Ｙ波形Ｗａの座標点に対応するＸ−Ｙ波形表示領域１２内の座標点（カーソル表示１３ａによって指定された電圧値の測定時刻に測定された電圧値および電流値に基づいて特定される座標点）と一致するようにカーソル表示１３ｂをＸ−Ｙ波形表示領域１２内に表示させる。
【００２９】
この場合、この波形表示装置１では、Ｔ−Ｙ波形表示領域１１内にカーソル表示１３ａが表示され、かつＸ−Ｙ波形表示領域１２内にカーソル表示１３ｂが表示されている状態においては、カーソル移動操作の対象がＴ−Ｙ波形表示領域１１の状態（操作対象カレント領域がＴ−Ｙ波形表示領域１１の状態）となっている。また、この波形表示装置１では、操作部３のタッチパネルの操作や、操作部３のカーソル移動スイッチ（左移動キーや右移動キー）の操作によってＴ−Ｙ波形表示領域１１内において任意の座標点を示す位置にカーソル表示１３ａが移動させられたときに、カーソル表示１３ａによって指定されている座標点に対応するＸ−Ｙ波形表示領域１２内に座標点にカーソル表示１３ｂが移動させられる。
【００３０】
したがって、例えば、Ｔ−Ｙ波形表示領域１１内に表示されているＴ−Ｙ波形Ｗａに特異点が認められたときには、操作部３を操作して、その特定の座標点にカーソル表示１３ａを移動させることで、Ｘ−Ｙ波形ＷｂにおいてＴ−Ｙ波形Ｗａの特異点に対応する部位（座標点）にカーソル表示１３ｂを位置させることができる。これにより、Ｘ−Ｙ波形ＷｂにおいてＴ−Ｙ波形Ｗａの特異点に対応する座標点がいずれの座標点であるかを特定し、特定した部位の波形がどのようになっているかを容易に観測することが可能となっている。
【００３１】
一方、操作対象カレント領域がＴ−Ｙ波形表示領域１１の状態において、Ｘ−Ｙ波形表示領域１２内に表示されているＸ−Ｙ波形Ｗｂに特異点が認められたときには、まず、一例として、波形表示画面１０のＸ−Ｙ指定ボタン１４を操作することにより、操作対象カレント領域をＸ−Ｙ波形表示領域１２に変更する。なお、この波形表示装置１では、操作対象カレント領域がＴ−Ｙ波形表示領域１１となっている状態において、Ｘ−Ｙ波形表示領域１２内の任意の部位をタッチするか（タッチパネルの操作）、または、操作部３のカーソル移動スイッチ（下移動キーおよび上移動キーのいずれか）を操作したときにも、Ｘ−Ｙ指定ボタン１４のタッチ操作時と同様にして操作対象カレント領域がＸ−Ｙ波形表示領域１２に変更される。
【００３２】
この際に、制御部５は、図３に示すように、Ｔ−Ｙ波形表示領域１１内のカーソル表示１３ａを非表示とし、かつ、カーソル表示１３ｂに代えて、カーソル表示１３ｂによって指定されていた座標点を「任意の座標点」として２本のラインの交点で指定すると共に、カーソル表示１３ｂによって指定されていた座標点を中心とする予め規定された広さの座標範囲を「任意の座標範囲」として矩形状の枠で囲うようにカーソル表示１５ｂをＸ−Ｙ波形表示領域１２内に表示させる。また、制御部５は、Ｘ−Ｙ指定ボタン１４に代えて確定ボタン１６を表示させる。この場合、同図に示す例では、カーソル表示１５ｂにおける２本のラインで指定された座標点を、Ｘ−Ｙ波形Ｗｂを構成する３本の線分が通過する状態、つまり、カーソル表示１５ｂによって３つの座標点が指定された状態となっている。また、同図に示す例では、カーソル表示１５ｂにおける矩形状の枠で囲われた座標範囲内にＸ−Ｙ波形Ｗｂを構成する４本の線分が描かれた状態、つまり、カーソル表示１５ｂによって４つの座標範囲が指定された状態となっている。
【００３３】
したがって、同図に示す状態において確定ボタン１６、またはＥｎｔｅｒキー（図示せず）を操作したときには（「第１の仮想平面上の任意の座標点および任意の座標範囲が指定されたとき」の一例）、図４に示すように、カーソル表示１５ｂによって指定されている４つの座標範囲に対応するＴ−Ｙ波形表示領域１１内の座標範囲を特定可能に４つのカーソル表示１５ａがＴ−Ｙ波形表示領域１１内に表示されると共に、４つのカーソル表示１５ａのうちの３つ（この例では、右から２つ目の１つを除く３つ）のカーソル表示１５ａ内に「座標点」を示す１本のラインが表示される。これにより、カーソル表示１５ｂによって指定されている座標点および座標範囲に対応するＴ−Ｙ波形表示領域１１内の座標点および座標範囲がカーソル表示１５ａの表示位置に存在することをオペレータに対して直感的に認識させることができる。なお、この波形表示装置１では、Ｔ−Ｙ波形表示領域１１にカーソル表示１５ａが表示されたときに、上記の確定ボタン１６に代えて再設定ボタン１７が波形表示画面１０内に表示される
【００３４】
また、この波形表示装置１では、Ｔ−Ｙ波形表示領域１１内にカーソル表示１５ａが表示された状態において再設定ボタン１７、または、操作部３のＣａｎｃｅｌキー（図示せず）を操作することにより、図３に示すように、カーソル表示１５ｂの位置を変更可能な状態（座標点および座標範囲を指定可能な状態）とすることができる。この状態において、Ｘ−Ｙ波形Ｗｂにおける特異点の部位をカーソル表示１５ｂによって指定するには、その部位をタッチするか（タッチパネルの操作）、または、操作部３のカーソル移動スイッチを操作することにより、図５に示すように、所望の部位にカーソル表示１５ｂを移動させる。この場合、同図に示す例では、カーソル表示１５ｂにおける２本のラインで指定された座標点を、Ｘ−Ｙ波形Ｗｂを構成する１本の線分が通過する状態、つまり、カーソル表示１５ｂによって１つの座標点が指定された状態となっている。また、同図に示す例では、カーソル表示１５ｂにおける矩形状の枠で囲われた座標範囲内にＸ−Ｙ波形Ｗｂを構成する１本の線分が描かれた状態、つまり、カーソル表示１５ｂによって１つの座標範囲が指定された状態となっている。
【００３５】
したがって、同図に示す状態において確定ボタン１６、またはＥｎｔｅｒキー（図示せず）を操作したとき（「第１の仮想平面上の任意の座標点および任意の座標範囲が指定されたとき」の他の一例）には、図６に示すように、カーソル表示１５ｂによって指定されている１つの座標点および１つの座標範囲に対応するＴ−Ｙ波形表示領域１１内の座標点および座標範囲を特定可能に１つのカーソル表示１５ａがＴ−Ｙ波形表示領域１１内に表示される。これにより、カーソル表示１５ｂによって指定されている座標点および座標範囲に対応するＴ−Ｙ波形表示領域１１内の座標点および座標範囲がカーソル表示１５ａの表示位置に存在することをオペレータに対して直感的に認識させることができる。なお、上記の例では、タッチパネルの操作、またはカーソル移動スイッチの操作によってカーソル表示１５ｂを任意の位置に移動させる操作と、確定ボタン１６の操作、またはＥｎｔｅｒキーの操作とが相まって「予め規定された座標指定操作」に相当する。
【００３６】
一方、図７に示すように、Ｘ−Ｙ波形表示領域１２内において移動させたカーソル表示１５ｂによって指定された座標範囲内にＸ−Ｙ波形Ｗｂを構成する線分が１本も存在しない状態において確定ボタン１６、または、Ｅｎｔｅｒキーが操作されたときには、制御部５は、図８に示すように、一例として「波形が選択されていません」とのエラーメッセージ１８を波形表示画面１０内に表示させると共に、図示しないスピーカからエラー音を出力する。この際には、再設定ボタン１７、または、Ｃａｎｃｅｌキーを操作して図７に示す状態に戻り、Ｘ−Ｙ波形Ｗｂを構成する線分が含まれるように（任意の座標範囲が含まれるように）カーソル表示１５ｂを移動させた後に、確定ボタン１６、または、Ｅｎｔｅｒキーを操作する。これにより、カーソル表示１５ｂによって指定された座標範囲に対応するＴ−Ｙ波形表示領域１１内の座標範囲を特定可能にカーソル表示１５ａがＴ−Ｙ波形表示領域１１内に表示される（図示せず）。
【００３７】
このように、この波形表示装置１、および波形表示装置１による波形表示方法によれば、「第１の仮想平面」上（Ｘ−Ｙ波形表示領域１２内）のＸ−Ｙ波形Ｗｂにおける任意の座標点および任意の座標範囲のうちの少なくとも一方（本例では、双方）が指定されたときに、その少なくとも一方に対応する「第２の仮想平面」上の座標点および座標範囲のうちの少なくとも一方（本例では、双方）を特定可能なカーソル表示１５ａをＴ−Ｙ波形Ｗａと共に「第２の仮想平面」上（Ｔ−Ｙ波形表示領域１１内）に表示させることにより、Ｘ−Ｙ波形Ｗｂにおいて着目すべき座標点・座標範囲を指定する位置にカーソル表示１５ｂを位置させた状態で確定ボタン１６、または、Ｅｎｔｅｒキーを操作するだけで、Ｘ−Ｙ波形Ｗｂにおいてカーソル表示１５ｂによって指定されている座標点・座標範囲に対応するＴ−Ｙ波形Ｗａの座標点・座標範囲を特定可能な位置にカーソル表示１５ａが表示されるため、Ｘ−Ｙ波形Ｗｂにおいて着目すべき座標点・座標範囲に対応するＴ−Ｙ波形Ｗａの座標点・座標範囲を確実かつ容易に特定することができる。これにより、この種の装置の操作に不慣れなオペレータであっても、Ｔ−Ｙ波形ＷａにおいてＸ−Ｙ波形Ｗｂにおける任意の部位に対応する部位がどのような波形となっているかを容易に観測することができる。
【００３８】
また、この波形表示装置１、および波形表示装置１による波形表示方法によれば、任意の座標点および任意の座標範囲のうちの少なくとも一方（本例では、双方）を指定するカーソル表示１５ｂをＸ−Ｙ波形Ｗｂと共に「第１の仮想平面」上（Ｘ−Ｙ波形表示領域１２内）に表示させた状態において予め規定された「座標指定操作（この例では、確定ボタン１６、または、Ｅｎｔｅｒキーの操作）」が行われたときに、カーソル表示１５ｂによって指定されている上記の少なくとも一方に対応する「第２の仮想平面」上（Ｔ−Ｙ波形表示領域１１内）の座標点および座標範囲のうちの少なくとも一方（本例では、双方）を特定可能にカーソル表示１５ａを「第２の仮想平面」上に表示させることにより、例えば、「座標指定操作」が行われなくてもカーソル表示１５ｂの位置に応じてカーソル表示１５ａがＴ−Ｙ波形表示領域１１内に表示される構成とは異なり、「座標指定操作」が行われるまでＴ−Ｙ波形表示領域１１内にカーソル表示１５ａが表示されないため、例えば、カーソル表示１５ｂを所望の位置に移動させる操作中に、カーソル表示１５ｂにおける２本のラインの交点とＸ−Ｙ波形Ｗｂを構成する線分とが交差する状態と交差しない状態とが交互に生じたり、カーソル表示１５ｂを所望の位置に移動させる操作中に、カーソル表示１５ｂにおける矩形状の枠内にＸ−Ｙ波形Ｗｂを構成する線分が含まれる状態と、カーソル表示１５ｂにおける矩形状の枠内にＸ−Ｙ波形Ｗｂを構成する線分が含まれない状態とが交互に生じたりしたとしても、カーソル表示１５ａが表示される状態、および表示されない状態に交互に切り替わる目障りな表示状態となるのを回避することができる。
【００３９】
さらに、この波形表示装置１、および波形表示装置１による波形表示方法によれば、任意の座標点および任意の座標範囲のうちの少なくとも一方（本例では、双方）をポインティングデバイス（この例では、タッチパネル）によって指定可能に構成したことにより、この種の装置の操作に不慣れなオペレータであっても、任意の座標点・座標範囲を容易に指定することができる。
【００４０】
さらに、この波形表示装置１、および波形表示装置１による波形表示方法によれば、Ｘ−Ｙ波形Ｗｂを表示するＸ−Ｙ波形表示領域１２、およびＴ−Ｙ波形Ｗａを表示するＴ−Ｙ波形表示領域１１を表示部の同一表示画面内（波形表示画面１０内）にそれぞれ規定してＸ−Ｙ波形ＷｂおよびＴ−Ｙ波形Ｗａを並べて表示させることにより、表示画面の切り替えを行うことなく、Ｘ−Ｙ波形Ｗｂにおいてカーソル表示１５ｂによって指定した座標点・座標範囲と、その座標点・座標範囲に対応するＴ−Ｙ波形Ｗａの座標点・座標範囲とを容易に比較することができる。
【００４１】
なお、「波形表示装置」の構成、および「波形表示方法」の内容については、上記の波形表示装置１の構成、および波形表示装置１による波形表示方法の内容に限定されない。例えば、任意の座標点を指定するための２本の交差するラインと、任意の座標範囲を指定するための矩形状の枠とを組み合わせたカーソル表示１５ｂを「カーソル表示」としてＸ−Ｙ波形表示領域１２内に表示させる例について説明したが、任意の座標点だけを指定するカーソル表示（例えば、カーソル表示１５ｂにおける２本の交差するラインだけで構成されたカーソル表示：図示せず）や、任意の座標範囲だけを指定するカーソル表示（例えば、カーソル表示１５ｂにおける矩形状の枠だけで構成されたカーソル表示：ずなわち、上記の例におけるカーソル表示１３ｂと同様のカーソル表示）を「カーソル表示」としてＸ−Ｙ波形表示領域１２内に表示させる構成・方法を採用することができる。このような構成を採用した場合においても、上記の波形表示装置１と同様の効果を奏することができる。
【００４２】
この場合、任意の座標点だけを指定する「カーソル表示」を表示させる構成・方法を採用した場合には、「カーソル表示」によって指定された任意の座標点に対応する座標点、および「カーソル表示」によって指定された任意の座標点に対応する座標範囲（一例として、任意の座標点に対応する座標点を中心として規定された座標範囲）の少なくとも一方を特定可能に「対応座標表示」をＴ−Ｙ波形表示領域１１内に表示させる。また、任意の座標範囲だけを指定する「カーソル表示」を表示させる構成・方法を採用した場合には、「カーソル表示」によって指定された任意の座標範囲に対応する座標範囲、および「カーソル表示」によって指定された任意の座標範囲に対応する座標点（一例として、任意の座標範囲に対応する座標範囲の中心座標の座標点）の少なくとも一方を特定可能に「対応座標表示」をＴ−Ｙ波形表示領域１１内に表示させる。このような構成を採用した場合においても、上記の波形表示装置１と同様の効果を奏することができる。
【００４３】
さらに、任意の座標点を指定する「カーソル表示」に関しては、上記の例におけるカーソル表示１５ｂの２本の交差するラインに限定されず、「＋」、「×」および「・」等の各種記号を「カーソル表示」として表示させる構成・方法を採用することができる。また、任意の座標範囲を指定する「カーソル表示」に関しては、上記の例におけるカーソル表示１５ｂの正方形の枠に限定されず、長方形、円形および楕円形などの各種形状のカーソル表示（図示せず）を「カーソル表示」として表示させる構成・方法を採用することができる。これらの構成を採用した場合においても、上記の波形表示装置１と同様の効果を奏することができる。
【００４４】
さらに、「第１の物理量」に相当する入力信号Ｓの電圧値をＹ座標軸（第３の座標軸）に対応させ、かつこのＹ座標軸と交差するＸ座標軸（第４の座標軸）を時間軸とする仮想平面（第２の仮想平面）上に入力信号Ｓの電圧値を経時変化に対応させてプロットすることで「第２の波形」に相当するＴ−Ｙ波形Ｗａを描画する例について説明したが、「第１の物理量」をＸ座標軸（「第３の座標軸」の他の一例）に対応させ、かつこのＸ座標軸と交差するＹ座標軸（「第４の座標軸」の他の一例）を時間軸とする仮想平面（第２の仮想平面）上に「第１の物理量」を経時変化に対応させてプロットすることでＴ−Ｘ波形（図示せず）を「第２の波形」として描画することもできる。
【００４５】
また、「第２の物理量（一例として、入力信号Ｓの電流値）」をＹ座標軸（第３の座標軸）に対応させ、かつこのＹ座標軸と交差するＸ座標軸（第４の座標軸）を時間軸とする仮想平面（第２の仮想平面）上に「第２の物理量」を経時変化に対応させてプロットすることでＴ−Ｙ波形（図示せず）を「第２の波形」として描画することもできる。さらに、「第２の物理量」をＸ座標軸（「第３の座標軸」の他の一例）に対応させ、かつこのＸ座標軸と交差するＹ座標軸（「第４の座標軸」の他の一例）を時間軸とする仮想平面（第２の仮想平面）上に「第２の物理量」を経時変化に対応させてプロットすることでＴ−Ｘ波形（図示せず）を「第２の波形」として描画することもできる。
【００４６】
また、「第１の物理量」に相当する入力信号Ｓの電圧値を「第１の座標軸」に相当するＹ座標軸に対応させ、かつ「第２の物理量」に相当する入力信号Ｓの電流値を「第２の座標軸」に相当するＸ座標軸に対応させた仮想平面（第１の仮想平面）上に、入力信号Ｓの電圧値および電流値によって特定される座標点を両値の経時変化に対応させてプロットすることで「第１の波形」に相当するＸ−Ｙ波形Ｗｂを描画する例について説明したが、「第１の物理量」に相当する入力信号Ｓの電圧値をＸ座標軸（「第１の座標軸」の他の一例）に対応させ、かつ「第２の物理量」に相当する入力信号Ｓの電流値をＹ座標軸（「第２の座標軸」の他の一例）に対応させた仮想平面（第１の仮想平面）上に、入力信号Ｓの電圧値および電流値によって特定される座標点を両値の経時変化に対応させてプロットすることでＸ−Ｙ波形（図示せず）を「第１の波形」として描画することもできる。
【００４７】
さらに、「第１の波形」や「第２の波形」の元となる「第１の物理量」および「第２の物理量」は、上記の例示のような電圧値や電流値に限定されず、抵抗値、電力値、位相、温度、湿度、輝度（光度）、照度、雨量および流量等の各種の物理量についての波形を表示する構成（方法）を採用することができる。また、測定部２を一体的に備えた波形表示装置１を例に挙げて説明したが、波形表示装置の構成はこれに限定されず、外部装置としての測定装置によって生成された測定データＤｖ，Ｄｉに基づく信号波形を表示させる構成（図示せず）を採用することもできる。さらに、表示部４を一体的に備えた波形表示装置１を例に挙げて説明したが、波形表示装置の構成はこれに限定されず、外部装置としての表示装置に信号波形を表示させる構成（図示せず）を採用することもできる。
【符号の説明】
【００４８】
１  波形表示装置
２  測定部
３  操作部
４  表示部
５  制御部
６  記憶部
１０  波形表示画面
１１  Ｔ−Ｙ波形表示領域
１２  Ｘ−Ｙ波形表示領域
１３ａ，１３ｂ，１５ａ，１５ｂ  カーソル表示
１４  Ｘ−Ｙ指定ボタン
１６  確定ボタン
１７  再設定ボタン
１８  エラーメッセージ
Ｄｖ，Ｄｉ  測定データ
Ｓ  入力信号
Ｗａ  Ｔ−Ｙ波形
Ｗｂ  Ｘ−Ｙ波形
【図１】
2014013165.tif 000003
【図２】
2014013165.tif 000004
【図３】
2014013165.tif 000005
【図４】
2014013165.tif 000006
【図５】
2014013165.tif 000007
【図６】
2014013165.tif 000008
【図７】
2014013165.tif 000009
【図８】
2014013165.tif 000010